(57)【特許請求の範囲】
【請求項１】
紙またはプラスチックフィルムからなる材料の少なくとも２つのウェブを加工してチューブセグメントを製造する装置であって、少なくとも２つの材料のロール（２、２ａ）を有し、前記各々のロールは巻解きユニット（１、１ａ）内で回転され、予引出しロール（９、１０）を備えた予引出しユニット（８）が、前記各々の巻解きユニットから材料のウェブを巻き解き、前記予引出しユニット（８）の中に引き入れるように構成され、
前記各々の巻解きユニット（１、１ａ）と、前記各々の予引出しロール（９、１０）との間にブレーキ（３０）が１つずつ配置され、前記ブレーキ（３０）は、ウェブを減速させるようになっており、前記予引出しユニット（８）が突然停止されたときに、前記ブレーキ（３０）が付勢されるようになっている装置において、
前記各々のブレーキ（３０）は、前記巻解きユニットに取り付けられた材料のロールから引出される材料のウェブのための支持及び摺動面を含んでおり、軸（３４）が、前記支持及び摺動面の上方に延びており、前記軸（３４）にはブラシロール（３５）が設けられ、前記軸（３４）は、前記支持及び摺動面に対して平行に延び、かつ、ガイド（３３）によって案内されており、前記ブラシロール（３５）は、前記材料のウェブと接触し、前記材料のウェブを前記支持及び摺動面に押し付け、前記材料のウェブに作用する予設定制動モーメントを保持するように、前記軸（３４）にヒンジ連結された圧力媒体ピストンシリンダユニット（３６）によって、前記支持及び摺動面に対して移動可能なように構成されており、前記各々のブラシロール（３５）は、予設定制動モーメントで、前記軸（３４）上で回転することができるように構成されている、
ことを特徴とする装置。
【請求項２】
前記各々のブレーキ（３０）は、支持システム（３２）を含んでおり、前記支持システム（３２）はウェブを支持し、前記支持システム（３２）の上側は、前記支持及び摺動面を形成しており、前記支持及び摺動面のところにおいて、前記ブラシロール（３５）は、前記支持システム（３２）に対して前記ウェブを押し付けるように構成されることを特徴とする請求項１に記載の装置。
【請求項３】
前記各々の支持システムは、前記ウェブのためのキャリヤ（３２）からなることを特徴とする請求項２に記載の装置。
【請求項４】
前記各々のブラシロール（３５）は、下降できる軸（３４）の回りに回転することができるように構成されることを特徴とする請求項２又は３に記載の装置。
【請求項５】
前記各々の軸（３４）は、ガイド（３３）に案内されて前記キャリヤ（３２）に対して平行に上下に移動されるようになっており、かつ、前記各々の軸（３４）は、圧力媒体ピストンシリンダユニット（３６）に連結されることを特徴とする請求項４に記載の装置。
【発明の詳細な説明】
【０００１】
【発明の属する技術分野】
本発明は、紙またはプラスチックフィルムからなる材料の少なくとも２つのウェブを加工してチューブセグメントを製造する装置であって、少なくとも２つの材料のロールを有し、前記各々のロールは巻解きユニット内で回転され、予引出しロールを備えた予引出しユニットが、前記各々の巻解きユニットから材料のウェブを巻き解き、前記予引出しユニットの中に引き入れるように構成された装置に関する。
【０００２】
【従来の技術】
材料のウェブを貯蔵する材料のロールは、通常、かなり大きな直径従って大きな重量を有し、このため、大きな慣性モーメントを有する。従って、予引出しユニットが突然停止すると、バンドブレーキが設けられていても、材料のロールがブレーキに抗して比較的長時間惰性回転する。このため、送込み装置の前方にウェブの緩く波打ったセグメントが形成される。加工機（この入口に、予引出し装置または送込み装置が配置されている）は、緊急停止の場合でも突然に停止できず、比較的長時間をかけて制御された態様で減速できるに過ぎない。それにも係わらず、予引出しユニットまたは送込みユニットは、材料のロールの前方で停止してしまう。しかしながら、この停止に至るまで、予引出しユニットまたは送込みユニットは、依然としてウェブの緩く波打ったセグメントの一部を引き出すことができる。このため、送込みが、自動的に一定でなくかつ斜めになってしまい、折れ曲がりおよび波が形成されるため、加工ユニットが再始動するときに、側部が変位しかつウェブが直角になってしまうことがある。従って、ウェブの斜めにかつ波打って送り込まれたセグメントを取り外して、再導入する必要がある。
【０００３】
【発明が解決しようとする課題】
従って本発明の目的は、冒頭で述べた形式の装置であって、材料のロール（該ロールから、材料のウェブが巻き解かれて、予引出しユニットまたは送込みユニットより長時間惰性回転する）の作動停止後であっても、装置へのウェブの適正送込みが保証されるように構成された装置を提供することにある。
【０００４】
【課題を解決するための手段】
本発明によれば、上記形式の装置に関連する問題は、  各巻解きユニットと各予引出しユニットとの間にブレーキが１つずつ配置されており、該ブレーキは、ウェブを別々に減速させ、かつ予引出しユニットが突然停止されまたは材料のウェブの送込み速度が大幅に遅延したときに付勢されるように構成した装置により解決される。
本発明の装置は、装置が突然停止した場合でも、加工すべき材料の各ウェブが、ブレーキと予引出しユニットまたは送込みユニットとの間でぴんと張られた状態に維持され、このため、その予引出しおよび送込みユニットを介して新たな送込みがなされても、装置がぴんと張られたウェブセグメントを引き出し、従ってウェブが最悪のコースをたどることすなわち直角に進行すること、または装置内でループを形成することがなくなる。
【０００５】
もちろん、材料のロールの不可避な惰性回転のため、ウェブの緩くたるんだセグメントが各ブレーキの前方に積み重なることを防止することはできない。しかしながら、このウェブは緩く弛んだ状態でブレーキを通ることはできず、従って波を形成することがないため、このようになっても無害である。装置が再始動する前に、材料のロールを引き戻すことができ、そうすれば、ウェブの緩く弛んだセグメントの積重なり（積重なり自体は無害である）を再びなくならせることができる。
本発明の大きな長所は、材料の各ロールがそれ自体のブレーキに関連していること、および各ブレーキが材料のロールにできる限り近接して配置されることである。材料のロールから巻き解かれる全てのウェブを単一のブレーキのみと関連させると仮定すると、全てのウェブが減速され、従って、ブレーキと予引出しユニットとの間でウェブがぴんと張られた状態になってしまうであろう。しかしながら、次に続くウェブのセグメントが全く制御されない態様でブレーキの前方に積み重なり、直角に配置されてループを形成し、互いに入り乱れてしまうことを防止することはできないであろう。なぜならば、巻取りロールが連続的に配置されており、かつ該巻取りロールから、ウェブの次に続くセグメントが一緒にブレーキに入るからである。本発明によれば、材料の各ロールがそれ自体のブレーキと関連しているため、材料のウェブの折曲がりおよびループを形成する可能性のある好ましくない積重なりおよび互いに入り乱れた移動が生じることはない。
【０００６】
好ましくは、各ブレーキは支持システムを有し、該支持システムは、ウェブを支持しかつ衝合体を形成し、各ブレーキには、支持システムに対してウェブを押し付けるクッションが使用される。
各支持システムはクロスアームまたはテーブルで構成できる。
好ましい実施形態によれば、各クッションは、下降できる軸の回りまたはキャリヤに枢着されたブラシロールまたは弾性的な可撓性を有するシェル（例えば、発泡ゴム）を備えたロールからなる。各ロールは、予設定制動モーメントで、キャリヤまたは軸上で枢動できる。好ましくは、各キャリヤまたは各軸は、衝合体に対して平行なガイドと共に移動され、かつ各軸には圧力媒体ピストンシリンダユニット（例えば、空気シリンダ）を使用できる。
【０００７】
【発明の実施の形態】
添付図面を参照して本発明の一実施形態を以下に詳細に説明する。
図１は、４層紙ウェブからなるチューブセグメントを製造するシステムが示されており、このシステムでは、個々のウェブが材料ロールから巻き解かれるように構成されている（材料ロールは巻解きユニットに連続的に配置されかつ取り付けられており、図１には２つのみの紙ロール２、２ａが示されている）。紙ロール２、２ａは、自由に回転できるようにフレーム１に懸架されており、引き出されたウェブ５、５′は、ガイドロール３、３ａを通って送込み装置に導かれる。紙ロール２、２ａ上にはブレーキバンド７、７ａが配置されている。該ブレーキバンド７、７ａにはウェイト６、６ａが負荷されており、ブレーキバンド７、７ａの端部４、４ａは図示の態様でフレームに固定されていて、紙ロール２、２ａを減速させる機能を有している。巻解きユニットは慣用的な態様で構成されており、従って詳細には説明しない。
【０００８】
紙ウェブ５″、５′″は、巻解きの目的で同じ態様でフレームに懸架された図示しない紙ロールから引き出される。
紙ウェブ５〜５′″は、予引出しユニットにより、送込み装置８に供給され、送込み装置８の各予引出しロールは、被駆動予引出しロール９およびループ角を拡大するガイドロール１０を備えている。予引出しロール９、１０の後ろには、ウェブに針穴を形成する装置が配置されており、針穴形成装置は対向圧力ロール１１を有している。送り込まれた紙ウェブは対向圧力ロール１１上を走行し、対向圧力ロール１１には１つの針ロール１２が使用される。針ロール１２は回転するリボルバフレームに取り付けられており、ウェブに針孔を形成する。針孔は、ウェブの全幅にまたは一部に形成され、ウェブから製造されるサックを通気させる機能を有している。個々のウェブ５〜５′″の針孔は、ウェブが一体化された後は整合しないため、ラビリンス通気チャンネルが形成される（該ラビリンス通気チャンネルは、空気は通り得るが、物品は通ることはできない）。
【０００９】
リボルバへの針ロール１２の取付けは、該針ロールの針が摩耗したときまたは穿刺すべき紙ウェブの領域が変更されるときの針ロールの迅速交換を目的とするものである。
角紙ウェブが、針ロールの前方でウェブの流れ方向に配置された予引出しロール９、１０を通って供給された後、ウェブは、針ロール１２から、対向圧力ロール２１に配置された切断ロール２０へと移動する。切断ロール２０は、紙ウェブに十字孔線（該十字孔線は、後で引裂き線を形成する）を形成する。針穴および十字孔線が形成された紙ウェブ５は、切断ロール２０からスタンド２２へと移動する。スタンド２２では、接着剤アプリケータロール２３が、接着剤ストリップ（該接着剤ストリップは、ウェブ５、５′、５″の穴の両側で直角に移動する）を付着する。
【００１０】
次に、これらの紙ウェブ（接着剤が拡散されている紙ウェブ）は、偏向ローラ２４（ここでは、個々のウェブが互いに横方向に移動される）を介して一体化される。次に、接着剤アプリケータディスク２５が、紙ウェブの非オーバーラップ側方領域上に、接着剤の長手方向被覆を塗布する。最後に、チューブ形成ステーション２６では、長手方向の接着剤ストリップにより各紙層自体が接合されてチューブとなるように、ウェブが紙チューブに折り畳まれる（この結果、紙ウェブは、入れ子式の紙チューブとなる）。
次に、このようにして作られた紙チューブは、慣用的な態様で予引出し機２７へと移動し、該予引出し機２７は、紙チューブを前方に引っ張ると同時に紙チューブを予引出し速度に保持する。この予引出し機２７には高速回転引裂き工具２８が続いており、該高速回転引裂き工具２８は、孔線（ミシン目）を分離し、これにより連続チューブから個々のチューブセグメントを引き裂く。このセグメントは、次にバッグに加工される。引裂き工具２８を備えた予引出し機２７も慣用的態様で構成されており、従ってここで詳細に説明する必要はない。
【００１１】
上記装置はドイツ国特許（DE-GM 296 00 461.8）から知られており、より詳細な内容についてはこれを参照されたい。
本発明によれば、各ウェブ５〜５′″についての予引出しユニット９、１０の間、および各巻解き装置の材料のロール間またはガイドローラ３、３ａ間にブレーキ３０が設けられており、該ブレーキ３０について、図２を参照してより詳細に説明する。
クロスアーム３２がＵ形キャリヤ３１（該Ｕ形キャリヤ３１は、各巻解き装置の基礎フレームの側方部材で構成できる）に連結されている。このキャリヤ３２の上面は、関連する巻解きユニットに取り付けられた材料のロールから引き出される材料のウェブ５′の支持および摺動領域を形成する。
【００１２】
キャリヤ３２には、軸３４をキャリヤ３２に対して平行に上下できる側方ガイド３３が設けられている。制動モーメントを調節できるブレーキ（図示せず）が設けられた軸３４の回りには、軸３４に対して回転できるブラシロール３５を枢着できる。
軸３４を上下させるため、キャリヤ３２には、空気シリンダ３６（そのピストンロッド３７が軸３４にヒンジ連結されている）が連結されている。
また、コントローラ（図示せず）が設けられており、該コントローラにより、空気シリンダ３６が、キャリヤ３２の方向に軸３４を下降させるように付勢される。これにより、ブラシロール３５が、ウェブ５′をクロスアーム３２の表面に押し付け、ウェブ５′に作用する予設定制動モーメントを保持する。
【図面の簡単な説明】
【図１】紙からなる多層チューブセグメントを製造するシステムを示す概略側面図である。
【図２】ウェブを減速させる本発明の装置を示す概略正面図である。
【符号の説明】
５、５′、５″、５  ′″  紙チューブ
３０  ブレーキ
３１  キャリヤ
３２  クロスアーム（キャリヤ）
３４  軸
３５  ブラシロール
３６  空気シリンダ
【図１】
0004209958.tif 000002
【図２】
0004209958.tif 000003